(57)【要約】【課題】既存の給湯システムのリモコンを利用して入浴者の異常報知を行う浴室監視システムを、コストを抑制して提供する。【解決手段】浴室監視システム５から送信される標準規格の第１の通信仕様によう信号を、給湯システムの独自規格の第２の通信仕様による信号に変換する通信変換ユニット６を用いて、通信仕様の異なる浴室監視ユニット５と、給湯器２，浴室リモコン３，及び台所リモコン１０間の通信を可能とする。これにより、標準規格の第１の通信仕様による通信機能を備えた汎用的な浴室監視ユニットを用いて、浴室監視システムを構成する。【選択図】　図２
2004102980.tif 000002
【特許請求の範囲】
【請求項１】
入浴者を検出する入浴者検出手段と、標準規格の第１の通信仕様による通信を行なう第１の通信手段と、前記入浴者検出手段により入浴者の動作の有無を検知し、入浴者の動作が所定時間以上検知されなかったときに異常報知信号を前記第１の通信手段により送信する浴室監視手段とを備えた浴室監視ユニットと、
報知手段と、給湯器との間で通信バスを介して独自規格の第２の通信仕様による通信を行う第２の通信手段とを有し、該第２の通信手段による信号の送受信により該給湯器を遠隔操作するリモコンと、
前記浴室監視ユニットから送信される前記第１の通信仕様による信号を受信したときに、該第１の通信仕様による信号を前記第２の通信仕様の信号に変換して前記通信バスに出力する通信変換手段を有する通信変換ユニットとを備え、
前記リモコンは、前記通信変換ユニットから前記通信バスに出力された前記第２の通信仕様の前記異常報知信号を受信したときに、前記報知手段により異常報知を行うことを特徴とする浴室監視システム。
【請求項２】
前記浴室監視ユニットは防水機能を有して浴室内に設置され、前記通信変換ユニットは前記浴室監視ユニットと分離して浴室外に設置されたことを特徴とする請求項１記載の浴室監視システム。
【請求項３】
前記通信変換ユニットは、前記浴室監視ユニットに対して電源を供給する電源供給手段と、該電源の電圧を検出する電圧検出手段と、該電圧検出手段の検出電圧が所定電圧以下となったときに、電源電圧の異常を通知する電源異常通知信号を前記通信バスに出力する電源異常通知手段とを備えたことを特徴とする請求項１又は請求項２記載の浴室監視システム。
【請求項４】
前記第１の通信手段は、前記第１の通信仕様により前記浴室監視手段と双方向通信を行う機能を有し、
前記通信変換ユニットは、前記浴室監視ユニットに対して電源を供給する電源供給手段と、該電源供給手段により前記浴室監視ユニットに対する電源供給を開始したときに、前記浴室監視ユニットに対して動作確認信号を送信し、前記浴室監視ユニットから該動作確認信号に対する応答信号を受信しなかったときに、浴室監視ユニットの作動不良を通知する作動不良通知信号を前記通信バスに出力する作動不良通知手段とを備えたことを特徴とする請求項１又は請求項２記載の浴室監視システム。
【請求項５】
前記浴室監視ユニットは、前記通信変換ユニットから電源が供給されている間、所定時間が経過する毎に、前記通信変換ユニットに対して動作中信号を送信し、
前記作動不良通知手段は、前記浴室監視ユニットに電源が供給されているにも拘わらず、前記動作中信号が受信されなくなったときに、浴室監視ユニットの作動不良を通知する作動不良通知信号を前記通信バスに出力することを特徴とする請求項４記載の浴室監視システム。
【請求項６】
前記通信変換ユニットは、前記浴室監視ユニットに供給する電源の電圧を検出する電圧検出手段と、該電圧検出手段の検出電圧が所定電圧以下となったときに、前記通信バスに電源電圧の異常を報知する電源異常信号を送信する電源異常通知手段とを備えたことを特徴とする請求項４又は請求項５記載の浴室監視システム。
【請求項７】
前記リモコンは、前記浴室監視ユニットの作動条件を設定する作動条件設定手段を有して、該作動条件設定手段による設定内容を表す作動条件データを含む前記第２の通信仕様の信号を前記第２の通信手段を介して前記通信バスに出力し、前記通信変換手段は、前記リモコンから送信される前記作動条件データを含む信号を前記通信バスを介して受信したときに、該信号を前記第１の通信仕様の信号に変換して前記浴室監視ユニットに送信し、
前記浴室監視ユニットは、前記通信変換ユニットから送信される前記作動条件データを含む信号を前記第１の通信手段を介して受信したときに、該作動条件データに基づいて自身の作動条件を設定することを特徴とする請求項１から請求項７のうちいずれか１項記載の浴室監視システム。
【請求項８】
前記作動条件設定手段は、前記リモコンに備えられたスイッチと、該スイッチの所定操作に応じて、該スイッチにより前記給湯器の遠隔操作が可能な遠隔操作モードと、該スイッチにより前記作動条件の設定が可能な条件設定モードとを切替えるスイッチモード切替手段とからなることを特徴とする請求項７記載の浴室監視システム。
【発明の詳細な説明】
【０００１】
【発明の属する技術分野】
本発明は、入浴者の動作の有無から入浴者の異常を検知したときに、異常報知を行う浴室監視システムに関する。
【０００２】
【従来の技術】
従来より、ＣＣＤカメラ等の撮像機器により入浴者の動作の有無を検知し、入浴者の動作が検知されなくなってから所定時間が経過したときに、入浴者に異常が生じて動けなくなったと判断して異常報知を行うようにした浴室監視ユニットが知られている。また、該異常報知を、浴室監視ユニットだけではなく、既存の給湯システムに備えられて給湯器を遠隔操作するリモコンを利用して、該リモコンのスピーカからの音声出力やディスプレイへの表示によっても行うようにした浴室監視システムが知られている（特許文献１）。
【０００３】
このように、入浴者の異常報知を給湯システムのリモコンを利用して行う場合、浴室内に設置された浴室監視ユニットと給湯システムのリモコン間が通信可能に接続される。そして、浴室監視ユニットは入浴者の異常が検知されたときに給湯システムのリモコンに対して異常通知信号を送信し、該リモコンは該異常通知信号を受信したときに異常報知を行うように構成される。
【０００４】
ここで、給湯システムの通信仕様は、各給湯器メーカ毎に規定された独自仕様となっている。そこで、浴室監視ユニットと給湯システムのリモコン間を通信可能とするため、従来の浴室監視システムにおいては、給湯システムの通信仕様に適合した通信を行う機能を備えた専用の浴室監視ユニットが用いられていた。
【０００５】
しかし、このように専用の通信仕様を備えた浴室監視ユニットは、独自仕様であって生産台数も少ないことから製造コストが高くなり、浴室監視システム全体のコストも高くなってしまうという不都合があった。
【０００６】
【特許文献１】
特開２００２−１５０４４７号公報
【０００７】
【発明が解決しようとする課題】
本発明は上記不都合を解消し、既存の給湯システムのリモコンを利用して入浴者の異常報知を行う浴室監視システムを、コストを抑えて提供することを目的とする。
【０００８】
【課題を解決するための手段】
本発明は上記目的を達成するためになされたものであり、入浴者を検出する入浴者検出手段と、標準規格の第１の通信仕様による通信を行なう第１の通信手段と、前記入浴者検出手段により入浴者の動作の有無を検知し、入浴者の動作が所定時間以上検知されなかったときに異常報知信号を前記第１の通信手段により送信する浴室監視手段とを備えた浴室監視ユニットと、報知手段と、給湯器との間で通信バスを介して独自規格の第２の通信仕様による通信を行う第２の通信手段とを有し、該第２の通信手段による信号の送受信により該給湯器を遠隔操作するリモコンと、前記浴室監視ユニットから送信される前記第１の通信仕様による信号を受信したときに、該第１の通信仕様による信号を前記第２の通信仕様の信号に変換して前記通信バスに出力する通信変換手段を有する通信変換ユニットとを備え、前記リモコンは、前記通信変換ユニットから前記通信バスに出力された前記第２の通信仕様の前記異常報知信号を受信したときに、前記報知手段により異常報知を行うことを特徴とする。
【０００９】
かかる本発明によれば、前記通信変換ユニットにより、前記浴室監視ユニットから送信された前記第１の通信仕様の信号が前記第２の通信仕様の信号に変換されて前記リモコンに送信される。そのため、標準規格の前記第１の通信仕様による通信機能を備えた市販の汎用的な浴室監視ユニットを用いて、浴室監視システムを構成することができる。ここで、前記通信変換ユニットは、通信仕様を変換する機能さえ備えていればよいので比較的低コストで製造することができる。そのため、このように市販の浴室監視ユニットと前記通信変換ユニットを組合わせたときのコストは、前記リモコンの独自規格である前記第２の通信仕様による通信機能を備えた浴室監視ユニットを専用に製造するよりも安くなる。したがって、前記通信変換ユニットを用いることにより、コストを抑えて浴室監視システムを構成することができる。
【００１０】
また、前記浴室監視ユニットは防水機能を有して浴室内に設置され、前記通信変換ユニットは前記浴室監視ユニットと分離して浴室外に設置されたことを特徴とする。
【００１１】
かかる本発明によれば、前記通信変換ユニットを前記浴室監視ユニットから分離して浴室外に設置したため、浴室内には前記浴室監視ユニットのみが露出することになる。ここで、前記第２の通信仕様は、前記給湯器と前記リモコン間で長い距離（数１０ｍ）を隔てて通信を行うことを想定した独自規格であるのに対し、前記第１の通信仕様は数ｍ程度の通信距離での使用を想定した標準規格である。そのため、前記第２の通信仕様に対応した通信回路は前記第１の通信仕様に対応した通信回路よりも高出力の電子部品を用いる必要があり、回路部の体積が大きくなる。
【００１２】
したがって、前記第２の通信仕様による通信機能を内蔵させたときの浴室監視ユニットの体積は、前記第１の通信手段を備えた前記浴室監視ユニットの体積よりも大きくなる。そこで、前記第１の通信手段を備えた前記浴室監視ユニットを浴室内に設置し、前記通信変換ユニットを天井裏等の浴室外に設置する構成とすることにより、浴室内に露出する浴室監視ユニットの体積を小さくして浴室監視ユニットの防水に要するコストの増加をなくすと共に、浴室内の美観の悪化を防止することができる。
【００１３】
また、前記通信変換ユニットは、前記浴室監視ユニットに対して電源を供給する電源供給手段と、該電源の電圧を検出する電圧検出手段と、該電圧検出手段の検出電圧が所定電圧以下となったときに、電源電圧の異常を通知する電源異常通知信号を前記通信バスに出力する電源異常通知手段とを備えたことを特徴とする。
【００１４】
かかる本発明によれば、前記浴室監視ユニットに対して電源を供給するための配線工事を、前記浴室監視ユニットと前記通信変換ユニット間の通信配線の工事と併せて効率良く行うことができると共に、前記電源の異常が生じた場合に、前記作動不良通知手段により前記電源異常通知信号を前記通信バスに出力することによって、前記リモコン及び前記給湯器に前記電源の異常を通知することができる。そして、これにより前記リモコンにより使用者に電源異常を報知し、前記浴室監視ユニットによる入浴者の監視が正常に実行されない状態で入浴がなされることを未然に防止することができる。
【００１５】
また、前記第１の通信手段は、前記第１の通信仕様により前記浴室監視ユニットと双方向通信を行う機能を有し、前記通信変換ユニットは、前記浴室監視ユニットに対して電源を供給する電源供給手段と、該電源供給手段により前記浴室監視ユニットに対する電源供給を開始したときに、前記浴室監視ユニットに対して動作確認信号を送信し、前記浴室監視ユニットから該動作確認信号に対する応答信号を受信しなかったときに、浴室監視ユニットの作動不良を通知する作動不良通知信号を前記通信バスに出力する作動不良通知手段とを備えたことを特徴とする。
【００１６】
かかる本発明によれば、前記通信変換ユニットから前記浴室監視ユニットへの電源供給を開始して前記動作確認信号を送信したときに、前記浴室監視ユニットから該動作確認信号に対する応答信号が返信されなかったときには、前記浴室監視ユニットが作動していないと判断することができる。そのため、この場合には、前記作動不良通知手段により前記作動不良通知信号を前記通信バスに出力することによって、前記リモコン及び前記給湯器に前記浴室監視ユニットの作動不良を通知することができる。そして、これにより前記リモコンにより使用者に前記浴室監視ユニットの作動不良を報知し、前記浴室監視ユニットによる入浴者の監視が正常に実行されない状態で入浴がなされることを未然に防止することができる。
【００１７】
また、前記浴室監視ユニットは、前記通信変換ユニットから電源が供給されている間、所定時間が経過する毎に前記通信変換ユニットに対して動作中信号を送信し、前記作動不良通知手段は、前記浴室監視ユニットに電源が供給されているにも拘わらず、前記動作中信号が受信されなくなったときに、浴室監視ユニットの作動不良を通知する作動不良通知信号を前記通信バスに出力することを特徴とする。
【００１８】
かかる本発明によれば、前記通信変換ユニットから前記浴室監視ユニットへの電源供給が供給されているときに、前記浴室監視ユニットから前記動作中信号が受信されなくなったときには、前記浴室監視ユニットが正常に作動していないと判断することができる。そのため、この場合には、前記作動不良通知手段により前記作動不良通知信号を前記通信バスに出力することによって、前記リモコン及び前記給湯器に対して前記浴室監視ユニットの作動不良を通知することができる。そして、これにより前記リモコンにより使用者に前記浴室監視ユニットの作動不良を報知し、前記浴室監視ユニットによる入浴者の監視が正常に実行されない状態で入浴がなされることを未然に防止することができる。
【００１９】
また、前記通信変換ユニットに前記作動不良通知手段と共に、前記電圧検出手段及び前記電源異常通知手段と備えることにより、前記浴室監視ユニットの作動不良と前記浴室監視ユニットに供給する電源の異常の双方を検知して、前記リモコン及び前記給湯器に通知することができる。
【００２０】
また、前記リモコンは、前記浴室監視ユニットの作動条件を設定する作動条件設定手段を有して、該作動条件設定手段による設定内容を表す作動条件データを含む前記第２の通信仕様の信号を前記第２の通信手段を介して前記通信バスに出力し、前記通信変換手段は、前記リモコンから送信される前記作動条件データを含む信号を前記通信バスを介して受信したときに、該信号を前記第１の通信仕様の信号に変換して前記浴室監視ユニットに送信し、前記浴室監視ユニットは、前記通信変換ユニットから送信される前記作動条件データを含む信号を前記第１の通信手段を介して受信したときに、該作動条件データに基づいて自身の作動条件を設定することを特徴とする。
【００２１】
かかる本発明によれば、浴室監視システムの設置作業者やメンテナンス作業者は、前記浴室監視ユニットの作動条件（前記入浴者検出手段による検出範囲、前記異常報知信号を送信するタイミング等）を前記リモコンにより設定することができる。そのため、前記浴室監視ユニットの作動条件を設定するために、パソコン等の端末機を用意する必要がなく、容易に設定作業を行うことができる。
【００２２】
また、前記作動条件設定手段は、前記リモコンに備えられたスイッチと、該スイッチの所定操作に応じて、該スイッチにより前記給湯器の遠隔操作が可能な遠隔操作モードと、該スイッチにより前記作動条件の設定が可能な条件設定モードとを切替えるスイッチモード切替手段とからなることを特徴とする。
【００２３】
かかる本発明によれば、前記熱源機を遠隔操作するためのスイッチと前記作動条件を設定するためのスイッチを兼用することができる。そのため、前記リモコンのサイズを小さくすることができると共に、前記リモコンのコストを抑えることができる。また、前記所定操作を一般の使用者には知らせずに、設置作業者及びメンテナンス作業者のみに知らせる運用とすることにより、使用者が勝手に前記作動条件を変更して不適切な作動条件が設定されることを防止することができる。
【００２４】
【発明の実施の形態】
本発明の実施の形態の一例について、図１〜図４を参照して説明する。図１は本発明の浴室監視システムの全体構成図、図２は図１に示した浴室監視システムの制御ブロック図、図３は図１に示した通信変換ユニットの構成図、図４は浴室監視ユニットの作動不良検知のタイミングチャートである。
【００２５】
図１を参照して、浴室１の壁面には、室外に設けられた給湯器２を遠隔操作するための浴室リモコン３（本発明のリモコンに相当する）が設けられ、浴室１の天井には、照明４と、入浴者Ａの異常を検知する浴室監視ユニット５（本発明の入浴者検出手段と第１の通信手段と浴室監視手段の機能を含む）とが設けられている。
【００２６】
浴室監視ユニット５は、浴室１の天井裏に設けられた通信変換ユニット６と中継ケーブル７により接続され、通信変換ユニット６はリモコンケーブル８により給湯器２と接続されている。また、浴室リモコン３はリモコンケーブル９により給湯器２と接続され、さらに、台所に設置された台所リモコン１０（本発明のリモコンに相当する）がリモコンケーブル１１により給湯器２と接続されている。
【００２７】
また、浴室１のドア１２の近傍に、照明４の点灯／消灯を切替えるための照明スイッチ１３が設けられている。
【００２８】
次に、図２を参照して、浴室監視ユニット５、通信変換ユニット６、浴室リモコン３、及び台所リモコン１０の構成について説明する。
【００２９】
浴室監視ユニット５は、浴室１内の様子を明度と彩度により画像データとして検出するＣＣＤ２０、ＣＣＤ２０からシリアル出力される画素データを取り込んで記憶する画像メモリ２１、浴室監視ユニット５の全体的な作動を制御するマイコン２２、シリアルケーブル３１（図１に示した中継ケーブル７に含まれる）を介して受信したＲＳ２３２Ｃ仕様（本発明の標準規格の第１の通信仕様に相当する）の信号をロジック電圧レベルに変換してマイコン２２のシリアル通信ポートに入力すると共に、マイコン２２のシリアル通信ポートから出力されたロジック電圧レベルの信号をＲＳ２３２Ｃ仕様の信号に変換して出力するシリアルドライバ２３（本発明の第１の通信手段に相当する）、マイコン２２から出力される選択信号に応じた音声信号を出力する音声ユニット２４、及び音声ユニット２４から出力された音声信号を増幅して出力するスピーカ２５を備えている。
【００３０】
また、浴室監視ユニット５は、通信変換ユニット６から電源供給ケーブル３０（図１に示した中継ケーブル７に含まれる）を介して供給されるＤＣ電力により作動する。そして、ＤＣ電力の供給が開始されると、マイコン２２は、ＣＣＤ２０を介して画像メモリ２１に取り込まれる浴室１の画像データから入浴者Ａの動作の有無を検出し、入浴者Ａの異常を検知する浴室監視運転を開始する。なお、ＣＣＤ２０により浴室１内の画像データを画像メモリ２１に取り込んで、マイコン２２により入浴者を検出する構成が、本発明の入浴者検出手段に相当する。
【００３１】
浴室監視運転において、マイコン２２は、入浴者Ａの動作が検出されない状態となったときに、その時点からの経過時間の計測を開始する。そして、経過時間が第１の所定時間（例えば６０秒）となったときに、入浴者Ａに対して動作を促す確認音声（「大丈夫ですか、動いてみて下さい」等）を音声ユニット２４とスピーカ２５を介して出力する。
【００３２】
そして、スピーカ２５から確認音声を出力したにも拘わらず、入浴者Ａの動作が検出されない状態が継続して、経過時間が第２の所定時間（例えば７５秒）となったときに、マイコン２２は、再び入浴者Ａに対して動作を促す確認音声（「大丈夫ですか、大丈夫ですか」等）をスピーカ２５から出力する。
【００３３】
そして、この２回目の確認音声の出力を行っても、入浴者Ａの動作が検出されない状態が継続して、経過時間が第３の所定時間（例えば９０秒）となったときには、マイコン２２は、スピーカ２５から警報音を大音量で出力する異常報知を行って浴室１の外にいる同居者に対して入浴者Ａの異常を報知する。
【００３４】
一方、上述した１回目又は２回目の確認音声の出力に対して、入浴者Ａが動作したことが検知されたときには、入浴者に異常が生じていないと判断できるため、マイコン２２は、経過時間の計測を終了する。そして、その後再び入浴者Ａの動作が検出されない状態となったときにその時点からの経過時間の計測を開始し、経過時間に応じて上述した確認音声の出力及び異常報知を行う。
【００３５】
また、浴室監視ユニット５は、シリアルケーブル３１を介して、通信変換ユニット６との間でＲＳ２３２Ｃ仕様の通信を行う。そして、マイコン２２は、上述した確認音声の出力と異常報知を行うときには、シリアルドライバ２３を介して、通信変換ユニット６に対してこれらの処理が実行されたことを示す信号を送信する。さらに、マイコン２２は、入浴者Ａの動作が検出されなくなってから５０秒が経過したときにも、その旨を示す信号を通信変換ユニット６に送信する。
【００３６】
なお、マイコン２２により、上述した浴室監視運転を実行し、確認音声の出力と異常報知が実行されたことを通信変換ユニット６に送信する構成が、本発明の浴室監視手段に相当する。
【００３７】
通信変換ユニット６は、通信変換ユニット６の全体的な作動を制御するマイコン４０、シリアルケーブル３１を介して受信したＲＳ２３２Ｃ仕様の信号をロジック電圧レベルに変換してマイコン４０のシリアル通信ポートに入力すると共に、マイコン４０のシリアル通信ポートから出力されたロジック電圧レベルの信号をＲＳ２３２Ｃ仕様の信号に変換して出力するシリアルドライバ４１、マイコン４０から出力される信号を、浴室リモコン３と台所リモコン１０と給湯器２間の通信仕様（以下、リモコン通信仕様という。本発明の第２の通信仕様に相当する）に変換して出力するリモコンインターフェース回路４２、浴室監視ユニット５に対するＤＣ電力の供給／遮断を切替える電源供給スイッチ４３、照明スイッチ１３の操作状態を検出する検出回路４４、及び商用電源４５（ＡＣ１００Ｖ）から直流電源（５Ｖ，１２Ｖ）を生成する電源回路４６を備えている。
【００３８】
なお、マイコン４０とシリアルドライバ４１とリモコンインターフェース４２とにより、ＲＳ２３２Ｃ仕様の信号とリモコン通信仕様の信号を相互に変換する構成が、本発明の通信変換手段に相当する。
【００３９】
ここで、リモコン通信仕様は、各給湯器メーカにより規定された独自規格である。そして、浴室監視ユニット５にリモコン通信仕様により通信を行う機能を内蔵させて、通信変換ユニット６を用いずに浴室監視ユニット５を直接給湯器２に接続する構成とした場合には、浴室監視ユニットの製造コストは汎用品である浴室監視ユニット５よりも高くなる。
【００４０】
そのため、比較的安価に製造できる通信変換ユニット６を介して、汎用の浴室監視ユニット５を給湯器２に接続する構成とすることにより、コストを抑制して浴室監視システムを構成することができる。
【００４１】
また、リモコン通信仕様は、給湯器２とリモコン（浴室リモコン３、台所リモコン１０）間で長い距離（数１０ｍ）を隔てて通信を行うことを想定したものであるのに対し、汎用の浴室監視ユニット５に備えられたＲＳ２３２Ｃは、数ｍ程度の通信距離を想定している。そのため、リモコン通信仕様に対応した通信回路はＲＳ２３２Ｃに対応した通信回路よりも高出力の電子部品を用いる必要があり、回路部の体積が大きくなる。
【００４２】
したがって、リモコン通信仕様による通信機能を内蔵させたときの浴室監視ユニットの体積は、汎用の浴室監視ユニット５の体積よりも大きくなり、浴室内に露出する浴室監視ユニットを防水するコストが高くなる。そこで、汎用の浴室監視ユニット５のみを浴室１内に設置し、通信変換ユニット６を浴室１外の天井裏等に設置する構成とすることにより、通信変換ユニット６の防水を不要として防水に要するコストの増加をなくすと共に、浴室１内に露出する浴室監視ユニット５の体積を小さくして浴室１内の美観の悪化を防止することができる。
【００４３】
そして、マイコン４０は、Ｉ／Ｏポートから出力する制御信号により電源供給スイッチ４３をＯＮ／ＯＦＦして浴室監視ユニット５に対する電源供給を制御し、Ｉ／Ｏポートに入力される検出回路４４の出力電圧（０Ｖ／５Ｖ）から照明スイッチ１３の操作状態（点灯状態／消灯状態）を検出する。
【００４４】
また、通信変換ユニット６と、浴室リモコン３と、台所リモコン１０とは、リモコンケーブル８，９，１１を介して給湯器２において相互に接続されている。そのため、通信変換ユニット６、浴室リモコン３、台所リモコン１０、及び給湯器２のうちのいずれかの機器から送信された信号は、他の全ての機器で受信される。なお、リモコンケーブル８，９，１１は本発明の通信バスを構成する。
【００４５】
そして、マイコン４０は、リモコンケーブル８を介して受信される信号から給湯器２が作動中であることを検知し、かつ、検出回路４４の出力電圧から浴室１の照明４が点灯状態であることを検出したときに、電源供給スイッチ４３をＯＮして浴室監視ユニット５に対するＤＣ電力の供給を開始する。
【００４６】
浴室リモコン３と台所リモコン１０は、給湯器２を遠隔操作するものであり、浴室リモコン３は、給湯温度や時刻等が表示されるディスプレイ５０、給湯温度や時刻を設定するためのＵＰ／ＤＯＷＮスイッチ５１、給湯器２の運転／停止を切替える運転スイッチ５２、浴槽１４への自動湯張りを指示する湯張りスイッチ５３、上述した浴室監視運転の実行を禁止する浴室監視禁止スイッチ５４、及びスピーカ５５を備えている。
【００４７】
また、台所リモコン１０も、浴室リモコン３と同様に、ディスプレイ６０、ＵＰ／ＤＯＷＮスイッチ６１、運転スイッチ６２、湯張りスイッチ６３、及びスピーカ６４を備えている。
【００４８】
なお、浴室リモコン３及び台所リモコン１０に備えられたリモコン通信仕様により通信を行う機能が本発明の第２の通信手段に相当し、ディスプレイ５０，６０及びスピーカ５５，６４が本発明の報知手段に相当する。
【００４９】
浴室リモコン３は、通信変換ユニット６から入浴者Ａの動作が検出されなくなってから５０秒が経過したことを示す信号を受信したときに、その後、異常状態が解除されたことを示す信号を受信するまで、ディスプレイ５０に前記第３の所定時間（９０秒）が経過するまでのカウントダウン表示（４０〜０秒の範囲）を行う。このカウントダウン表示により、入浴者は前記異常報知が行われるまでの残時間を知ることができるため、入用者は前記異常報知が行われる前に動作をして前記異常報知がなされることを避けることができる。
【００５０】
そして、通信変換ユニット６から前記異常報知を行ったことを示す信号を受信したときに、浴室リモコン３は、ディスプレイ５０に「０」を点滅表示すると共に、ブザー５５から警報音を出力する。なお、この場合、上述したように浴室監視ユニット５による異常報知も行われるため、ブザー５５による警報音の出力は省略してもよい。
【００５１】
また、台所リモコン１０は、通信変換ユニット６から前記異常報知処理を行ったことを示す信号を受信したときに、ディスプレイ５０に「０」を点滅表示すると共に、スピーカ６４から「お風呂の様子を調べて下さい」という音声を繰り返し出力する。なお、浴室リモコン３及び台所リモコン１０に備えられた操作スイッチ類がＬＥＤ内蔵タイプであるときには、該スイッチ類に内蔵されたＬＥＤも同時に点滅させるようにしてもよい。
【００５２】
そして、上述した浴室監視ユニット５による確認音声の出力及び異常報知と共に、このように、浴室リモコン３及び台所リモコン１０による異常報知処理を行うことにより、入浴者に異常が生じたことを同居者に対してより確実に報知することができる。
【００５３】
また、浴室リモコン３には、浴室監視運転を禁止する浴室監視禁止スイッチ５４が備えられており、入浴者は、浴室監視禁止スイッチ５４を操作することにより、浴室監視運転の実行と禁止を設定することができる。
【００５４】
次に、通信変換ユニット６は、浴室監視ユニット５に供給する電源の異常と浴室監視ユニット５の作動不良を検知する機能を備えている。以下、図３，４を参照してこれらの機能について説明する。
【００５５】
図３（ａ）を参照して、通信変換ユニット６においては、電源回路４６により生成されたＤＣ電源（１２Ｖ）がトランジスタを用いた電源供給スイッチ４３を介して浴室監視ユニット５に供給される。そして、マイコン４０のＩ／Ｏポート（Ｔｒ）の出力により電源供給スイッチ４３がＯＮ／ＯＦＦされる。また、電源回路４６の出力電圧がマイコン４０のＡＤ入力ポート（ＡＤ）に入力され、これによりマイコン４０は電源回路４６の出力電圧を検出する。
【００５６】
なお、電源回路４６と電源供給スイッチ４３とにより本発明の電源供給手段が構成され、マイコン４０のＡＤ入力ポート（ＡＤ）が本発明の電圧検出手段に相当する。
【００５７】
そして、マイコン４０に備えられた電源異常通知部７０は、ＡＤポート（ＡＤ）に入力される電源回路４６の出力電圧のレベルを監視し、電源回路４６の故障や配線の短絡等により該出力電圧のレベルが基準値以下となったときに電源電圧の異常を通知する電源異常通知信号をリモコンインターフェース４２を介してリモコンケーブル８に出力する。これにより、浴室リモコン３と台所リモコン１０と給湯器２とに電源電圧の異常が通知され、浴室リモコン３と台所リモコン１０は電源電圧の異常をディスプレイ５０，６０及びスピーカ５５，６４により報知する。
【００５８】
このように、浴室リモコン３と台所リモコン１０により電源電圧の異常を報知することにより、使用者に浴室監視ユニット５の電源供給源である通信変換ユニット６の修理、交換を促し、浴室監視ユニット５による浴室監視運転が実行されない状態で入浴がなされることを未然に防止することができる。
【００５９】
なお、ＡＤ入力ポート（ＡＤ）を有しないマイコンを用いるときには、ＡＤ変換回路７５を介して電源電圧のデジタル変換データをマイコン４０のデジタル入力（Ｄ）に入力するようにしてもよい。この場合には、ＡＤ変換回路７５が本発明の電圧検出手段に相当する。
【００６０】
また、図３（ｂ）に示したように、電源供給スイッチ４３の出力側（図中Ｃ）の電圧をマイコン４０のＡＤ入力ポート（ＡＤ）に入力するようにしてもよい。この場合は、トランジスタの破損等による電源供給スイッチ４３のオープン故障により浴室監視ユニットへの電源供給が不能となったときにも、電源異常通知信号を浴室リモコン３と台所リモコン１０と給湯器２とに送信することができる。
【００６１】
また、図３（ｂ）においても、ＡＤ変換回路７５を介して電源電圧のデジタル変換データをマイコン４０のデジタル入力（Ｄ）に入力するようにしてもよい。
【００６２】
次に、マイコン４０に備えられた作動不良通知部７１は、図４に示したタイミングチャートに基づいて浴室監視ユニット５の作動不良を検知する。作動不良通知部７１は、先ず、浴室監視ユニット５に対する電源供給が開始されたｔ０で、動作確認信号（Ｓｅ）を浴室監視ユニット５に送信する。
【００６３】
そして、浴室監視ユニット５は、動作確認信号（Ｓｅ）を受信したときに、応答信号（Ｒｅ）を通信変換ユニット６に返信する（図中ｔ１）。そのため、作動不良検知部７１は、一定時間以内に浴室監視ユニット５からの応答信号（Ｒｅ）を受信せず、浴室監視ユニット５が正常に作動していないと判断される状態となったときに、浴室監視ユニット５の作動不良を通知する作動不良通知信号をリモコンインターフェース４２を介してリモコンケーブル８に出力する。
【００６４】
これにより、浴室リモコン３と台所リモコン１０と給湯器２とに浴室監視ユニット５の作動不良が通知され、浴室リモコン３と台所リモコン１０は浴室監視ユニット５の作動不良が生じたことをディスプレイ５０，６０及びスピーカ５５，６４により報知する。
【００６５】
このように、浴室リモコン３と台所リモコン１０により浴室監視ユニット５の作動不良を報知することにより、使用者に浴室監視ユニット５の修理、交換を促し、浴室監視ユニット５による浴室監視運転が実行されない状態で入浴がなされることを未然に防止することができる。
【００６６】
また、浴室監視ユニット５は、作動中は一定時間間隔（図中Ｔ）で、通信変換ユニット６に対して動作中信号（Ｅ１，Ｅ２，Ｅ３，・・・）を送信する（図中ｔ２，ｔ３，ｔ４，・・・）。そして、作動不良通知部７１は、浴室監視ユニット５に対して電源供給がなされている間は、浴室監視ユニットからの動作中信号の送信の有無を監視し、動作中信号の送信が途絶えたときに浴室監視ユニット５の作動が不良となったことを通知する作動不良通知信号をリモコンケーブル８に出力する。
【００６７】
これにより、浴室リモコン３と台所リモコン１０と給湯器２とに浴室監視ユニット５の作動不良が通知され、浴室リモコン３と台所リモコン１０は浴室監視ユニット５の作動不良が生じたことをディスプレイ５０，６０により報知する。
【００６８】
このように、浴室リモコン３と台所リモコン１０により浴室監視ユニット５の作動不良を報知することにより、使用者に浴室監視ユニット５の修理、交換を促し、浴室監視ユニット５による浴室監視運転が実行されない状態で入浴がなされることを未然に防止することができる。
【００６９】
また、浴室監視ユニット５の設置作業者やメンテナンス作業者（以下、作業者という）は、浴室リモコン３の操作により、浴室監視ユニット５の作動条件を設定することができる。具体的には、ＵＰ／ＤＯＷＮスイッチ５１を押しながら運転スイッチ５２をＯＮ操作する等の特殊操作（本発明の所定操作に相当する）により、作業者は、浴室リモコンのスイッチ入力モードを、上述した熱源機１の遠隔操作が可能な「遠隔操作モード」から、浴室監視ユニット５の作動条件の設定が可能な「条件設定モード」に切替えることができる。
【００７０】
そして、作業者は、ＵＰ／ＤＯＷＮスイッチ５１、湯張りスイッチ５３等の操作により、浴室監視ユニット５の作動条件を設定することができる。ここで、浴室監視ユニット５の作動条件としては、例えばＣＣＤ２０により画像データを取り込む際の検知領域、ＣＣＤのゲイン及び蓄積時間、単位時間当たりの撮像処理枚数、画像データの諧調、入浴者の異常を判断するための基準動き量、入浴者の動きの停止を検知してから動作を促す確認音声を出力するまでのタイミング、スピーカ２５からの音声出力の大きさ等が挙げられる。
【００７１】
「条件設定モード」において、作業者が浴室監視ユニット５の作動条件を設定すると、浴室リモコン３は、設定された内容を表す作動条件データを含む信号をリモコン通信仕様により通信変換ユニット６に送信する。そして、通信変換ユニット６のマイコン４０は、浴室リモコン３から送信された前記作動条件データを含む信号をリモコンインターフェース４２を介して受信すると、該信号をシリアルドライバ４１によりＲＳ２３２Ｃ仕様の信号に変換して、浴室監視ユニット５に送信する。
【００７２】
そして、浴室監視ユニット５のマイコン２２は、通信変換ユニット６から送信された前記作動条件データを含む信号をシリアルドライバ２３を介して受信したときに、該作動条件データに基づいて浴室監視ユニット５の作動条件を設定、変更する。
【００７３】
このように、作業者は浴室リモコン３により浴室監視ユニット５の作動条件を設定することができるため、浴室１の広さや照明４の照度等に応じて、浴室監視ユニット５の作動条件を工場出荷時の初期状態から変更する必要があるときに、パソコン等の操作端末を準備する必要がなく、容易に作動条件を変更することができる。
【００７４】
また、「遠隔操作モード」から「条件設定モード」への切替は上述した浴室リモコン３の特殊操作により行われる。そのため、作業者のみが該特殊操作について認識し、使用者に対しては該特殊操作について知らせない運用とすることにより、使用者による浴室監視ユニット５の作動条件の変更を禁止することができる。そして、これにより、使用者が不適切な作動条件を設定して、浴室監視ユニット５による入浴者の監視が正常に行われなくなることを防止することができる。
【００７５】
なお、本実施の形態では、通信変換ユニット６に備えられた電源異常検知部７０により浴室監視ユニット５に供給される電源電圧の異常を検知すると共に、作動不良検知部７１により浴室監視ユニット５の作動不良を検知したが、これらの検知のいずれか一方のみを行う場合、或いはこれらの検知を行わない場合であっても、本発明の効果を得ることができる。
【００７６】
また、本実施の形態では、図２に示したように、通信変換ユニット６、浴室リモコン３、及び台所リモコン１０を、それぞれリモコンケーブル８，９，１１により給湯器２のリモコン接続端子４９に接続することによって、通信変換ユニット６、浴室リモコン３、台所リモコン１０、及び給湯器２間の通信を可能としたが、通信変換ユニット６にリモコン接続端子を設け、浴室リモコン３、台所リモコン１０、及び給湯器２をリモコンケーブルにより該リモコン接続端子に接続することによって、通信変換ユニット６、浴室リモコン３、台所リモコン１０、及び給湯器２間の通信を可能としてもよい。
【図面の簡単な説明】
【図１】本発明の浴室監視システムの全体構成図。
【図２】図１に示した浴室監視システムの制御ブロック図。
【図３】図１に示した通信変換ユニットの構成部。
【図４】通信変換ユニットにおける浴室監視ユニットの作動不良検知のタイミングチャート。
【符号の説明】
１…浴室、２…給湯器、３…浴室リモコン、４…照明、５…浴室監視ユニット、６…通信変換ユニット、１０…台所リモコン、１２…ドア、１３…照明スイッチ、１４…浴槽、４３…電源供給スイッチ、４４…検出回路、５４…浴室監視禁止スイッチ、７０…電源異常通知部、７１…作動不良通知部
【図１】
2004102980.tif 000003
【図２】
2004102980.tif 000004
【図３】
2004102980.tif 000005
【図４】
2004102980.tif 000006